(57)【要約】      （修正有）【課題】扇風機の送風方向の上下方向への首振り時の安全性の更なる向上を目的とする。【解決手段】モータカバーロウ４７の開口された上端がモータカバー２４の下方の開口内に入り、モータカバーロウ４７の上方とモータカバー２４の下方がオーバーラップし、モータカバー２４の上下方向の回動時にモータカバーロウ４７の外面５２とモータカバー２４の下方の開口の下端の内面間が所定の距離を持つ隙間Ｌ１を有して、モータカバー２４が回動することにより、上下首振り手段での隙間を、指が入らない大きさで、この隙間の大きさも変化しない構成にすることにより、上下首振り手段の更なる安全性の向上ができるものである。【選択図】図７
2014173426.tif 000002
【特許請求の範囲】
【請求項１】
送風する羽根と、前記羽根を覆う羽根カバーと、前記羽根を駆動するモータと、前記羽根による送風方向を左右方向に往復回動させる左右首振り手段と、前記羽根による送風方向を上下方向に往復回動させる上下首振り手段と、前記羽根と前記モータと前記左右首振り手段と前記上下首振り手段を上部に備えた支柱部と、前記支柱部を支持する基台と、前記モータを覆い送風方向の左右方向あるいは／および上下方向の往復回動とともに回動するモータカバーと、前記モータカバーの下方に前記左右首振り手段による送風方向の左右方向への往復回動と共に回動するモータカバーロウを備え、前記モータカバーロウの下方に前記支柱部に固定された固定カバーを備え、前記左右首振り手段と前記上下首振り手段は、前記モータカバー、前記モータカバーロウ、あるいは前記固定カバーで覆われ、前記モータカバーは下方と一側面が開口し、前記モータカバーの開口された前記一側面は前記羽根カバーと接し、前記モータカバーロウは上方が開口され、その上方に開口された上端が前記モータカバーの下方の開口内に入り、前記モータカバーの上下方向の回動時に前記モータカバーロウの外面と前記モータカバーの下方の開口の下端の内面間が所定の距離を持つ隙間を有して前記モータカバーが回動する扇風機。
【請求項２】
モータカバーロウおよびモータカバーの羽根の反対側は前記羽根の反対側に突き出る円弧形状で、この円弧形状の中心は前記上下首振り手段による送風方向の上下方向に往復回動させる回動中心と同心上に位置することを特徴とする請求項１に記載の扇風機。
【請求項３】
円弧形状の内側にモータを駆動あるいは／および制御する電線を収納することを特徴とする請求項２記載の扇風機。
【請求項４】
モータカバーを横筒とし、その下方の開口と一側面の開口が連続して開口し、前記下方の開口を筒状とした請求項１乃至３のいずれかに記載の扇風機。
【発明の詳細な説明】
【技術分野】
【０００１】
本発明は、首振り機能を有する扇風機に関するものである。
【背景技術】
【０００２】
従来、この種の扇風機は、枢軸の上部に扇風機本体が装着され、後カバーに覆われた首振機構により、ネックピースに形成された軸受穴に軸支される枢軸が回動し、扇風機本体が左右方向、すなわち水平方向へ首振をする。
【０００３】
また、首振機構に上下方向角度を可変するカムを備えることにより、上下方向、すなわち垂直方向に首振をする（例えば、特許文献１参照）。
【先行技術文献】
【特許文献】
【０００４】
【特許文献１】特開平０７−２４３３９５号公報
【発明の概要】
【発明が解決しようとする課題】
【０００５】
このような従来の扇風機においては、首振機構が後カバーに覆われているが、回動する後カバーと回動せずに固定されているネックピ−ス、支柱上端との間の隙間がカバーで覆われていない。
【０００６】
すなわち、上下方向の首振り機構では、この首振機構での隙間の大きさが変化するので、指が挟まれる場合があった。但し、仮に、指が挟まれた場合にも、クラッチ機構により、所定の力以上では、挟まれない構成であるので、安全であった。ここで、指が挟まれた場合にも、安全ではあるが、より安全性の向上には、指が挟まれない構成にすることが必要であった。
【０００７】
そこで本発明は、上記従来の課題を解決するものであり、上下方向の首振り機構では、この首振り機構での隙間を、指が入らない大きさで、この隙間の大きさも変化しない構成にすることにより、首振り機構の更なる安全性の向上を目的とする。
【課題を解決するための手段】
【０００８】
そして、この目的を達成するために、本発明は、送風する羽根と、前記羽根を覆う羽根カバーと、前記羽根を駆動するモータと、前記羽根による送風方向を左右方向に往復回動させる左右首振り手段と、前記羽根による送風方向を上下方向に往復回動させる上下首振り手段と、前記羽根と前記モータと前記左右首振り手段と前記上下首振り手段を上部に備えた支柱部と、前記支柱部を支持する基台と、前記モータを覆い送風方向の左右方向あるいは／および上下方向の往復回動とともに回動するモータカバーと、前記モータカバーの下方に前記左右首振り手段による送風方向の左右方向への往復回動と共に回動するモータカバーロウを備え、前記モータカバーロウの下方に前記支柱部に固定された固定カバーを備え、前記左右首振り手段と前記上下首振り手段は、前記モータカバー、前記モータカバーロウ、あるいは前記固定カバーで覆われ、前記モータカバーは下方と一側面が開口し、前記モータカバーの開口された前記一側面は前記羽根カバーと接し、前記モータカバーロウは上方が開口され、その上方に開口された上端が前記モータカバーの下方の開口内に入り、前記モータカバーの上下方向の回動時に前記モータカバーロウの外面と前記モータカバーの下方の開口の下端の内面間が所定の距離を持つ隙間を有して前記モータカバーが回動する扇風機としたものであり、これにより、所期の目的を達成するものである。
【発明の効果】
【０００９】
本発明によれば、モータをモータカバーで覆い、左右首振り手段と上下首振り手段を前記モータカバー、モータカバーロウ、あるいは固定カバーとで覆い、前記モータカバーロウは上方が開口され、その上方に開口された上端が前記モータカバーの下方の開口内に入り、前記モータカバーの上下方向の回動時に前記モータカバーロウの外面と前記モータカバーの下方の開口の下端の内面間が所定の距離を持つ隙間を有して前記モータカバーが回動することにより、上下首振り手段では、この上下首振り手段での隙間を、指が入らない大きさで、この隙間の大きさも変化しない構成にすることにより、上下首振り手段の更なる安全性の向上ができるものである。
【図面の簡単な説明】
【００１０】
【図１】本発明の実施の形態１の扇風機の全体を示す図
【図２】同扇風機の支柱部の断面図
【図３】同扇風機の送風手段の断面図
【図４】同扇風機のモータ部、左右首振り手段、上下首振り手段等を示す斜視図
【図５】同扇風機のモータホルダーを示す斜視図
【図６】同扇風機のモータフロントプレートを示す斜視図
【図７】同扇風機のモータカバーとモータカバーロウ等を示す側面図
【図８】同扇風機のモータカバーを示す斜視図
【図９】同扇風機のモータカバーとモータカバーを下方から見た斜視図
【図１０】同扇風機のモータカバーとモータカバーロウを下から見た図
【図１１】同扇風機のモータカバー内と、同円弧形状の内側の信号線の収納を示す斜視図
【発明を実施するための形態】
【００１１】
本発明の請求項１記載の扇風機は、送風する羽根と、前記羽根を覆う羽根カバーと、前記羽根を駆動するモータと、前記羽根による送風方向を左右方向に往復回動させる左右首振り手段と、前記羽根による送風方向を上下方向に往復回動させる上下首振り手段と、前記羽根と前記モータと前記左右首振り手段と前記上下首振り手段を上部に備えた支柱部と、前記支柱部を支持する基台と、前記モータを覆い送風方向の左右方向あるいは／および上下方向の往復回動とともに回動するモータカバーと、前記モータカバーの下方に前記左右首振り手段による送風方向の左右方向への往復回動と共に回動するモータカバーロウを備え、前記モータカバーロウの下方に前記支柱部に固定された固定カバーを備え、前記左右首振り手段と前記上下首振り手段は、前記モータカバー、前記モータカバーロウ、あるいは前記固定カバーで覆われ、前記モータカバーは下方と一側面が開口し、前記モータカバーの開口された前記一側面は前記羽根カバーと接し、前記モータカバーロウは上方が開口され、その上方に開口された上端が前記モータカバーの下方の開口内に入り、前記モータカバーの上下方向の回動時に前記モータカバーロウの外面と前記モータカバーの下方の開口の下端の内面間が所定の距離を持つ隙間を有して前記モータカバーが回動する扇風機という構成を有する。
【００１２】
これにより、上下首振り手段では、この上下首振り手段での隙間を、指が入らない大きさで、この隙間の大きさも変化しない構成にすることにより、上下首振り手段の更なる安全性の向上ができるという効果を奏する。
【００１３】
また、モータカバーロウおよびモータカバーの羽根の反対側は前記羽根の反対側に突き出る円弧形状で、この円弧形状の中心は前記上下首振り手段による送風方向の上下方向に往復回動させる回動中心と同心上に位置するという構成を有する。
【００１４】
これにより、モータカバーロウとモータカバーの下端の隙間が所定の一定を維持して、モータカバーが動き、この隙間の大きさが変化しない構成にすることにより、上下首振り手段の更なる安全性の向上ができるという効果を奏する。
【００１５】
また、円弧形状の内側にモータを駆動あるいは／および制御する電線を収納するという構成を有する。
【００１６】
これにより、円弧形状の内側の空間にモータを駆動あるいは／および制御する電線を収納でき、空間の有効利用が図られ、コンパクト化が図られるという効果を奏する。
【００１７】
また、モータカバーを横筒とし、その下方の開口と一側面の開口が連続して開口し、前記下方の開口を筒状にするという構成を有する。
【００１８】
これにより、モータカバーの羽根カバーへの接し、およびモータカバーの固定カバーの上端を覆っての取り付け作業、組み立て作業が容易になるという効果を奏する。
【００１９】
以下、本発明の実施の形態について図面を参照しながら説明する。
【００２０】
（実施の形態１）
図１乃至図７に示すように、扇風機１は、基台２と、この基台２から伸びた支柱部３と、この支柱部３に設けられた送風手段と、左右首振り手段と、上下首振り手段とからなる。
【００２１】
基台２は、円板形状で、上面には中心を通る直径方向に、縦長四角形状の窪み部（図示せず）を備えている。この窪み部には、円形の開口である孔部（図示せず）を備えている。窪み部に、支柱部３の下部が装着可能である。
【００２２】
支柱部３は、中空の下支柱部４と中空の上支柱部５とからなる。上支柱部５が下支柱部４内に上から挿入され、上下移動機構１３（たとえばリーフスプリングなど）によって、上下方向へ移動自在に装着されている。この上下動によって、送風手段が上下することにより、送風方向が上下動できる。
【００２３】
下支柱部４は、窪み部に嵌る第一下支柱部６と、この第一下支柱部６の上部から上方へ伸びた第二下支柱部７とからなる。
【００２４】
第一下支柱部６は、蓋つき箱形状で、板形状の下支柱上蓋部８と、上方に開口した椀形状の下支柱下蓋部９とからなる。下支柱上蓋部８と下支柱下蓋部９とは、ねじにより固定できる。
【００２５】
下支柱上蓋部８の上面から第二下支柱部７が一体で形成され伸びている。第二下支柱部７は、上下方向が軸方向である四角筒形状で、この第二下支柱部７内と第一下支柱部６内とは連通している。
【００２６】
下支柱下蓋部９の下面には、下方へ突出した円柱形状の円柱部１０を備えている。この円柱部１０の周面にはネジが切られ、この部分が雄ねじとなる。
【００２７】
基台２の窪み部へ、第一下支柱部６を嵌め込むと、下支柱下蓋部９のねじ切りされた円柱部１０が基台２の孔部に挿入される。円柱部１０にナット１２で固定すると、このナット１２と第一下支柱部６とが基台２の窪み部を挟み込み固定される。
【００２８】
上支柱部５は、上下方向が軸方向である四角筒形状で、上端には上方へ開口した椀形状の固定カバー１４を装着している。この固定カバー１４内には、軸方向が上下方向である円筒形状のネックピース１５を備えている。このネックピース１５には、後述する軸方向が上下方向である円柱形状の枢軸１６が回動自在に装着される。ネックピース１５には、ネックピース１５から径方向に伸びたリンク装着部１７を備えている。
【００２９】
送風手段は、羽根部１８と、モータ部２２と、モータホルダー２３と、モータカバー２４とからなる。
【００３０】
羽根部１８は、軸流タイプの羽根１９と、この羽根１９の前面側を覆う羽根カバーであるフロントガード２０と、羽根１９の後側を覆うリアガード２１とからなる。フロントガード２０とリアガード２１とは嵌め込み式で連結する。羽根１９は、モータ部２２によって回転する。
【００３１】
モータ部２２は、モータホルダー２３に装着されている。
【００３２】
モータ部２２は、モータ２５と、モータカバーインナー２６と、モータフロントプレート２７とからなる。
【００３３】
モータ２５は、駆動軸２８を有し、この駆動軸２８は、扇風機１の前面側であるモータ２５の前面から、扇風機１の前面側へ水平に伸び、この先端に羽根１９が固定されている。
【００３４】
モータフロントプレート２７は、中央にはモータ２５の駆動軸２８を挿入できる開口２９を備え、左右両端から後方へ伸びた回転支持部３０を備えている。モータフロントプレート２７は、モータカバーインナー２６の扇風機１の前面側に、ねじにより固定される。
【００３５】
モータホルダー２３は、プレート３１と、枢軸１６と、Ｕ字体３２と、固定部３３とからなる。
【００３６】
プレート３１は、扇風機１における前後方向へ長い四角形状の金属の平板である。プレート３１の扇風機１における前側で下面には、下面から下方へ伸びた枢軸１６を有する。このプレート３１は、扇風機１における前側でプレート３１の長手辺の両端面から上方へ伸びた２枚のＵ字体３２と、扇風機１における後側でプレート３１の長手辺の一方側端面から上方へ伸びた固定部３３とを備えている。
【００３７】
モータホルダー２３は、Ｕ字体３２の先端の孔と、モータフロントプレート２７の回転支持部３０に設けた孔とを、軸支３４、軸支３５により回転可能に連結している。
【００３８】
モータカバー２４は、横筒状で、下方と一側面が開口し、２分割された半割のモータカバーフロント３６とモータカバーリア３７をモータ部２２にネジ等で連結固定される。
【００３９】
左右首振り手段は、ステッピングモータ３８と、クランク３９と、リンク４０とを備えている。ステッピングモータ３８は、プレート３１に固定されている。ステッピングモータ３８の回転軸は、ステッピングモータ３８から下方へ伸び、この回転軸にクランク３９が装着されている。このクランク３９には、リンク４０の一端側が回動自在に装着され、リンク４０の他端側は、固定カバー１４のリンク装着部１７に回動自在に装着される。
【００４０】
上下首振り手段は、ステッピングモータ４１と、クランク４２と、リンク４３とを備えている。ステッピングモータ４１は、モータカバーインナー２６に固定され、ステッピングモータ４１の回転軸は、ステッピングモータ４１から扇風機１における一方側の側方に伸び、この回転軸にクランク４２が装着されている。このクランク４２には、リンク４３の一端側が回動自在にネジなどで固定する。リンク４３の他端側は、モータホルダー２３の固定部３３に回動自在に装着される。
【００４１】
モータカバー２４はモータ部２２と、上下首振り手段とを内包し、下方の開口４４と一側面４５の開口４６がつながって連続して開口している。
【００４２】
モータカバーロウ４７は、上端と下端が開口し、２分割された半割の前モータカバーロウ４８と後モータカバーロウ４９をモータホルダー２３にネジ等で連結固定され、左右首振り手段とネックピース１５とを内包する。
【００４３】
モータ部２２と、羽根１９と、送風方向の左右方向の首振りを行う左右首振り手段と、送風方向の上下方向の首振りを行う上下首振り手段は、支柱部３の上端で支持されている。
【００４４】
モータカバーロウ４７の開口された上端５０がモータカバー２４の下方の開口４４内に入り、モータカバーロウ４７の上方とモータカバー２４の下方がオーバーラップし、モータカバー２４の上下方向の回動時にモータカバーロウ４７の外面５２とモータカバー２４の下方の開口４４の下端５３の内面５４間が所定の距離を持つ隙間Ｌ１を有して、モータカバー２４が回動する。
【００４５】
隙間Ｌ１として、指等の異物が入らない、または入りにくい程度の隙間、間隔、例えば１〜３ｍｍ程度で設けられている。
【００４６】
モータカバー２４は、横筒状で、下方の開口４４と一側面４５の開口４６がつながって連続して開口している。開口４６は、正面から見るとモータ２５より外方の円周上に複数設けられている。これにより、羽根１９が回転すると、隙間Ｌ１からモータカバー２４内へ一部の空気が吸い込まれ、一側面４５の開口４６を介して、羽根１９へ流れ込む気流が発生する。この気流によって、モータカバー２４内のモータ２５の温度上昇を低減できる。更に、この気流は、モータカバーロウ４７の外面に沿って、モータカバー２４内に入るので、モータカバー２４内面に沿うような流れとなり、モータ部２２を覆うように流れるので、モータ２５の温度上昇を効率よく低減できる。
【００４７】
モータカバーロウ４７およびモータカバー２４の羽根１９の反対側は、円弧形状５６で、この円弧形状５６の中心は上下首振り手段による送風方向の上下方向に往復回動させる回動中心である軸支３４、軸支３５と同心上に位置している。
【００４８】
前記構成において、ステッピングモータ３８によって、クランク３９が回転すると、枢軸１６と、リンク４０の長さと、クランク３９のネジ等で固定されたピッチの関係により一義的に定まる一定の角度範囲において、リンク４０によって、固定カバー１４内で、モータホルダー２３の枢軸１６を回転中心として、モータホルダー２３が回動し、送風手段と、上下首振り手段とを水平方向、すなわち左右方向に往復回動させる。なお、左右首振り手段によって、上支柱部５は上下動するが、首振り回動せず固定されており、左右首振り、すなわち水平首振り、上下首振り、すなわち垂直首振りの往復回動はしない。
【００４９】
ステッピングモータ４１によって、クランク４２が回転すると、固定部３３とリンク４３の長さと、クランク４２のネジ等で固定されたピッチの関係により一義的に定まる一定の角度範囲において、モータホルダー２３は、Ｕ字体３２の先端の孔と、モータフロントプレート２７の回転支持部３０に設けた孔とを回転可能に連結している軸支３４と、軸支３５とを回転中心として、モータホルダー２３が回動し、送風手段である、羽根部１８と、モータ部２２と、モータホルダー２３と、モータカバー２４とを垂直方向、すなわち上下方向に回動させる。
【００５０】
なお、左右首振り手段、および上下首振り手段としては、首振り駆動としてＤＣモータを用いて、そのＤＣモータを正回転、逆回転させて、水平方向の首振り、垂直方向の首振りを行っても良い。
【００５１】
モータカバー２４がモータカバーロウ４７の外側であって、モータカバーロウ４７の上方とモータカバー２４の下方がオーバーラップし、モータカバーロウ４７の開口された上端５０よりモータカバー２４の下方の開口５１の下端が下にあることにより、指等の異物が隙間Ｌ１から入ろうとしても、モータカバー２４の下方への回動時に押し出され易く、ロックし難くなっている。
【００５２】
したがって、上下方向の首振り時に指等の異物による首振のロックを防止し、上下首振り手段に使用される首振機器、部材の過負荷、破損を防止しつつ、モータ放熱を維持するという効果を得ることができる。
【００５３】
これにより、モータカバーロウ４７とモータカバー２４の下端の隙間Ｌ１が所定の一定の間隔を維持して、モータカバー２４が動き、異物によるモータカバー２４内への進入を防ぎ易くし、異物によるロックを防ぐという効果を得ることができる。
【００５４】
また、円弧形状５６の内側に左右首振り手段、上下首振り手段、送風する羽根１９による風量制御等の扇風機１の制御用の信号線５７を収納することで、空間の有効利用が図られ、コンパクト化が図られることとなる。
【産業上の利用可能性】
【００５５】
本発明にかかる扇風機は、上下首振り手段での隙間を、指が入らない大きさで、この隙間の大きさも変化しない構成にすることにより、上下首振り手段の更なる安全性の向上ができるものである。扇風機等に使用される上下首振り手段として有用である。
【符号の説明】
【００５６】
１  扇風機
２  基台
３  支柱部
４  下支柱部
５  上支柱部
６  第一下支柱部
７  第二下支柱部
８  下支柱上蓋部
９  下支柱下蓋部
１０  円柱部
１２  ナット
１３  上下移動機構
１４  固定カバー
１５  ネックピース
１６  枢軸
１７  リンク装着部
１８  羽根部
１９  羽根
２０  フロントガード
２１  リアガード
２２  モータ部
２３  モータホルダー
２４  モータカバー
２５  モータ
２６  モータカバーインナー
２７  モータフロントプレート
２８  駆動軸
２９  開口
３０  回転支持部
３１  プレート
３２  Ｕ字体
３３  固定部
３４  軸支
３５  軸支
３６  モータカバーフロント
３７  モータカバーリア
３８  ステッピングモータ
３９  クランク
４０  リンク
４１  ステッピングモータ
４２  クランク
４３  リンク
４４  開口
４５  一側面
４６  開口
４７  モータカバーロウ
４８  前モータカバーロウ
４９  後モータカバーロウ
５０  上端
５２  外面
５３  下端
５４  内面
５６  円弧形状
５７  信号線
Ｌ１  隙間
【図１】
2014173426.tif 000003
【図２】
2014173426.tif 000004
【図３】
2014173426.tif 000005
【図４】
2014173426.tif 000006
【図５】
2014173426.tif 000007
【図６】
2014173426.tif 000008
【図７】
2014173426.tif 000009
【図８】
2014173426.tif 000010
【図９】
2014173426.tif 000011
【図１０】
2014173426.tif 000012
【図１１】
2014173426.tif 000013